(57)【要約】【課題】常に新鮮なヒノキの香りを発生させることのできる芳香セットを提案すること。【解決手段】芳香セット１３は木製の容器１１（芳香部材）と研磨具１２から構成されている。容器１１の縁部分１１ａおよび底部分１１ｂの厚さｔは研磨具１２によって内周面１１ｃを研磨されることを考慮して、一般の容器よりも肉厚に形成されている。容器１１は、ろくろ細工で加工して製造することができ、例えばぐい飲み、杯、碗、箸立等である。容器１１の原料としては、鉛筆状木材１と同様、ヒノキチオールと呼ばれる芳香成分を多く含有するヒノキやヒバを用いる。研磨具１２により容器１１を研磨すると新しい木肌が露出するので常に新鮮な木の香りを出すことができる。【選択図】　　　図８
2004065947.tif 000002
【特許請求の範囲】
【請求項１】
ヒノキチオールを含有しているヒノキなどの木材からなる芳香部材と、
前記芳香部材を切削あるいは研磨する削り具と、
を有する芳香セット。
【請求項２】
請求項１において、
前記芳香部材は鉛筆状の芳香棒である芳香セット。
【請求項３】
請求項２において、
前記削り具は鉛筆削り式のものである芳香セット。
【請求項４】
請求項３において、
前記芳香棒は多角形断面であり、
前記芳香棒をその軸線回りに回すために、前記芳香棒の端部を差し込み可能な多角形断面の装着穴が形成されている取っ手を有している芳香セット。
【請求項５】
請求項３または４において、
前記削り具は、削り刃と、この削り刃によって削られた前記芳香部材の削り屑を溜める削りかす溜めとを備えている芳香セット。
【請求項６】
請求項５において、
前記削り具は、椀形状の本体と、この本体に形成した前記芳香棒の差込穴とを備え、前記差込穴の内部に前記削り刃が配置され、前記本体の凹部が前記削り屑溜めである芳香セット。
【請求項７】
請求項３において、
前記芳香棒を支持する木材固定台と、
前記削り具を回すためのハンドルと、
前記ハンドルの操作量に応じて前記芳香部材を前記削り具の側に押し込む押し込み機構と、
を有している芳香セット。
【請求項８】
請求項１において、
前記芳香部材は椀、皿、鉢などの容器であり、
前記削り具は前記容器の表面を研磨する研磨具である芳香セット。
【請求項９】
請求項２ないし７のうちのいずれかの項に記載の芳香セットに用いる芳香棒。
【請求項１０】
通気性の素材から形成され、ヒノキチオールを含有しているヒノキなどの木材からなる芳香部材を装填可能なカートリッジと、
前記カートリッジに向けて風を送る送風機と、
前記カートリッジが着脱可能に装着されているケースと、
を有する芳香器。
【発明の詳細な説明】
【０００１】
【発明の属する技術分野】
本発明は、ヒノキの香りを発生させるための芳香セットおよび芳香棒に関するものである。また、ヒノキの香りを発生させる芳香器に関するものである。
【０００２】
【従来の技術】
木は、フィトンチッドと呼ばれる芳香成分を含有しており、このフィトンチッドには、鎮静効果、消臭効果、殺虫効果、抗菌効果といった効能があることで知られている。また、ヒノキやヒバは、ヒノキチオールというフィトンチッドよりも強い殺菌能力を持った芳香成分を発散する。このため、このようなフィトンチッド、およびヒノキチオールの効能に着目して、木材を直径３０ｍｍほどの小球状に形成したものが市販されている。このように形成された木材は、例えば家庭において、室内に置いて芳香剤にしたり、収納タンスに入れて防虫剤にしたり、浴槽に入れて入浴剤にしたりして使用されている。
【０００３】
【発明が解決しようとする課題】
しかしながら、木材から発散されるヒノキチオール等の芳香成分の量は、経時的に減少してしまうので、芳香成分による効能は次第に薄れていってしまうことになる。ここで、カッタなどで木材を切削して新しい木肌を出せば、芳香成分の発散量は回復するが、球状に形成された木材を切削するのは非常に困難である。
【０００４】
また、木材を芳香剤として室内などに置いた場合には、木材から発散される芳香成分の量に限界があるので、短時間で室内を芳香成分で充満させるのは不可能である。
【０００５】
以上の問題に鑑みて、本発明の課題は、常に良好な芳香状態を保持可能な芳香セット、およびそれに用いる芳香部材を提案することにある。
【０００６】
また、本発明の課題は、芳香成分を短時間で発散させることができる芳香器を提案することにある。
【０００７】
【課題を解決するための手段】
上記の課題を解決するために、本発明の芳香セットは、ヒノキチオールを含有しているヒノキなどの木材からなる芳香部材と、前記芳香部材を切削あるいは研磨する削り具との組合せからなることを特徴としている。
【０００８】
芳香部材から発散する芳香成分の量が減少した場合には、削り具によって芳香部材を削るという簡単な作業により、新たな木肌を出すことができ、また、削り屑を出すことができるので、芳香部材あるいは削り屑から再び芳香成分を発散させることができる。よって、常に新鮮なヒノキの香りを発生させることができる。
【０００９】
ここで、前記芳香部材を鉛筆状の芳香棒とすれば、前記削り具として市販の鉛筆削り式のものを用いることができるので便利である。
【００１０】
また、芳香棒の削り出しを簡単に行うことができるように、前記芳香棒を多角形断面のものとし、前記芳香棒をその軸線回りに回すために、前記芳香棒の端部を差し込み可能な多角形断面の装着穴が形成されている取っ手を有していることが望ましい。
【００１１】
さらに、削り屑からの芳香を活用するためには、前記削り具に、削られた前記芳香部材の削り屑を溜める削り屑溜めを設けることが望ましい。
【００１２】
例えば、前記削り具は、椀形状の本体と、この本体に形成した前記芳香棒の差込穴とを備えた構成とすることができ、この場合には、前記差込穴の内部に前記削り刃を配置し、前記本体の凹部を前記削り屑溜めとして利用すればよい。
【００１３】
次に、芳香棒の削り出しを簡単に行うためには、前記芳香棒を支持する木材固定台と、前記削り具を回すためのハンドルと、前記ハンドルの操作量に応じて前記芳香部材を前記削り具の側に押し込む押し込み機構とを備えた構成とすればよい。
【００１４】
ここで、本発明において、前記芳香部材を椀、皿、鉢などの容器とし、前記削り具を前記容器の表面を研磨する研磨具とした構成を採用することもできる。この場合においても、研磨具によって芳香部材の表面を研磨して新たな木肌を出せば、常に新鮮な木の香りを発生させることができる。
【００１５】
次に、本発明は芳香棒に関するものであり、上記のように構成されていることを特徴としている。
【００１６】
一方、本発明の芳香器は、通気性の素材から形成され、ヒノキチオールを含有しているヒノキなどの木材からなる芳香部材を装填可能なカートリッジと、前記カートリッジに向けて風を送る送風機と、前記カートリッジが着脱可能に装着されているケースとを有していることを特徴としている。
【００１７】
送風機から送り出された風は、カートリッジ内の芳香部材に当たり、そこに含有されている芳香成分を早期に発散させる。よって、広い空間においても短時間で芳香成分を充満させることができる。
【００１８】
【発明の実施の形態】
以下に、図面を参照して、本発明の各実施の形態を説明する。
【００１９】
（鉛筆状木材）
図１（ａ）ないし（ｃ）は、それぞれ本発明の芳香部材の実施の形態に係る鉛筆状木材の概略斜視図である。図１（ａ）ないし（ｃ）に示すように、鉛筆状木材１は、市販されている鉛筆削り器を用いて削ることができるように、その軸径が市販されている鉛筆と同様に８ｍｍとされている。また、その断面形状は、六角形、八角形などの多角形とされている。勿論、円形であってもよい。鉛筆状木材１の原料としては、ヒノキチオールと呼ばれる芳香成分を多く含有するヒノキやヒバを用いることが望ましいが、それ以外の木材であってもよい。
【００２０】
この形状の鉛筆状木材１において、その表面部分からは、芳香成分が発散されていることになるが、その発散量は経時的に減少してしまう。しかしながら、本形態の鉛筆状木材１は市販の鉛筆と同一形状であるので、芳香成分の発散量が減少した場合には、市販の鉛筆削り器を用いて削れば、その切削面および削り屑からは、再び芳香成分が発散されることになる。
【００２１】
このため、鉛筆状木材１と鉛筆削り器との組合せからなる芳香セットを用意しておけば、常に新鮮なヒノキの香りを発散させることができる。例えば、自動車のバッテリーを電源とした電動鉛筆削り器と鉛筆状木材１の組合せから芳香セットを構成すれば、鉛筆状木材１を削ることで車内に芳香成分が発散するので、車内用芳香器として利用することができる。削り屑の量を調整すれば、車内の芳香の強さも調整できる。
【００２２】
なお、発生した削り屑を蒸し器に入れて、芳香成分を含んだ蒸気で食品を蒸かせば、芳香成分を食品に含浸させることも可能である。さらに、削り屑とともに食品を包装しても、芳香成分を含浸させることが可能である。
【００２３】
また、芳香成分であるフィトンチッド、およびヒノキチオールには、鎮静効果、消臭効果、殺虫効果、抗菌効果といった効能があるので、削り屑を通気性の袋に詰めることにより、さらにその利用範囲を広げることができる。例えば、枕にしたり、浴湯に浮かべたりすれば、神経をリラックスさせて疲れを癒すことができる。また、収納タンスに入れれば衣類を害虫から守ることも可能である。
【００２４】
以上説明したように、本形態の鉛筆状木材１は、市販の鉛筆と同形に形成されているので、市販の鉛筆削り器を用いて削ることができる。それ故、鉛筆状木材１から発散されている芳香成分の量が減少したとしても、鉛筆削り器を用いて鉛筆状木材１を削るという簡単な作業だけで再び芳香成分を発散させることができる。
【００２５】
また、市販されている鉛筆と同様、鉛筆状木材１を１ダースずつ箱に詰めれば、流通機構に簡単に乗せることができる。このため、消費者は鉛筆状木材１を簡単に手に入れることが可能になる。
【００２６】
さらに、鉛筆状木材１は、製材した際に出る半端材や、干ばつ材などを原料としている。また、芳香成分を発散しなくなった削り屑は、肥料として再利用が可能である。このため、環境に優しい。
【００２７】
なお、鉛筆状木材１の内部に同軸状態で芯を配置することで、鉛筆として使用することも可能である。
【００２８】
また、芳香成分をより多く発散させるには表面積を広くすればよいので、例えば、図２に示すように、鉛筆状木材１を複数本組み合わせて、あるいは鉛筆状木材１を製造する工程で作りだされる板状体片２１を組み合わせて、校倉状の箱２を形成すれば、通常の箱に比べて表面積を広くすることができる。このため、例えば、校倉状の箱２を収納タンスの引出しにすれば、木材から発散される芳香成分による効能を高めることができる。
【００２９】
（切削器具）
鉛筆状木材１の原料として用いられているヒノキやヒバは、市販の鉛筆に用いられている原料に比べて材質が硬いため、市販の鉛筆削り器で鉛筆状木材１を削るのは困難である。そこで、次のような切削器具を用いることが望ましい。
【００３０】
図３（ａ）および（ｂ）は、切削器具の概略斜視図、およびそこに組み込まれている削り器を示す概略斜視図である。これらの図に示すように、切削器具３は、直方体状に形成された木製のケース３１と、このケース３１に内蔵された削り器３４とを有している。削り器３４は、一般に市販されている鉛筆削り器を用いることができ、鉛筆状木材１を削るための削り刃３４１が配置されている面のみがケース３１の上面３１１から露出しており、削り屑が上面３１１に出るようになっている。
【００３１】
ケース３１の側面３１２には、削り器３４の差込穴３４２にまで連通する案内穴３１５が水平方向に形成されている。この案内穴３１５の内径寸法は、鉛筆状木材１の外径寸法よりも大きく設定されているため、案内穴３１５から鉛筆状木材１を挿入して、削り器３４で鉛筆状木材１を削ることが可能である。
【００３２】
ここで、切削器具３には、鉛筆状木材１の端部に、着脱可能に取り付けることができる取っ手３６が備わっている。取っ手３６は、略円錐状に形成され、その頂点部分に鉛筆状木材１の基端部分を差し込むための装着穴３６１が形成されている。なお、鉛筆状木材１の断面形状を多角形とし、装着穴３６１も多角形断面の穴とすることが望ましい。
【００３３】
このように構成された切削器具３では、削り器３４がケース３１に固定されているので、手に削り器３４を持って鉛筆状木材１を削る場合に比べて、容易に鉛筆状木材１を削ることができる。また、鉛筆状木材１の端部に取っ手３６を取り付けることで、鉛筆状木材１を削るためのそれを回す力が少なくて済む。
【００３４】
なお、図４（ａ）に示すように、ケース３１の上面３１１において、削り器３４が配置されている部分を浅い球面状に凹ませれば、鉛筆状木材１を削った際の削り屑を溜めておくことが可能である。
【００３５】
また、上記実施の形態において、ケース３１は、直方体状に形成されていたが、例えば、丸太を輪切りにした円柱状、楔状、あるいはろくろ細工により図４（ｂ）、（ｃ）に示すように、椀状に形成するなど様々な形状を採用することができる。
【００３６】
次に、図５には切削器具の別の例を示す概略斜視図である。この図に示すように、切削器具４は、鉛筆状木材１を水平に支持してその端部を削るものであり、長方形のベースプレート４１の表面に、鉛筆状木材１を水平に支持する木材固定台５と、鉛筆状木材１の端部を回転しながら削る削り器３４と、この削り器３４の回転軸７１の回転に伴って、木材固定台５をスライドさせる動力伝達機構６とを有している。
【００３７】
ベースプレート４１には、削り器３４を回転可能に支持する支持台７と、木材固定台５が一定の間隔で対向した状態で支持されている。また、ベースプレート４１の表面に沿って、木材固定台５から支持台７に向けてガイドレール４２が延びており、木材固定台５は、ガイドレール４２に沿ってスライド可能である。
【００３８】
支持台７には、第１の回転軸７１と第２の回転軸７２が水平かつ平行に支持されている。第１の回転軸７１は、支持台７を回転自在の状態で貫通しており、その木材固定台５側の端部には削り器３４が取り付けられ、削り器３４と支持台７の間の部位には第１の歯車４５が同軸状態で固着されている。また、支持台７から外方に突出している第１の回転軸７１の端部には回転ハンドル４７が固着されている。
【００３９】
第２の回転軸７２は、一方の端部が支持台７によって回転可能に支持され、他方の端部が木材固定台５によって支持されている。第２の回転軸７２には、第１の歯車４５と噛み合う第２の歯車４６が固着されており、この第２の歯車４６から木材固定台５の側に延びている軸部分の外周には雄ねじ部分７２ａが形成されている。この雄ネジ部分７２ａは、木材固定台５の固定部材５１を貫通して、ハーフナット５２の雌ねじ部分５２１に噛み合っている。
【００４０】
木材固定台５は、ガイドレール４２に沿って移動可能なスライド部材５３と、ここに支持されている固定部材５１と、同じくスライド部材５３に支持されているハーフナット部分５２とを備えている。固定部材５１は、第２の回転軸７２の雄ねじ部分７２ａが差し込まれる貫通穴５１１と、この貫通穴５１１の上方に形成され、鉛筆状木材１の基端部分を支持する支持部５１２とを備えている。貫通穴５１１の内径寸法は、第２の回転軸７２の外径寸法よりも大きい。
【００４１】
ハーフナット部分５２の雌ねじ部分５２１は、支持台７の回転ハンドル４７を削り器３４が鉛筆状木材１を削る方向に回転させたとき、第２の回転軸７２の雄ねじ部分７２ａがねじ込まれる方向にねじが切られている。従って、回転ハンドル４７を鉛筆状木材１が削られる方向に回転させると、木材固定台５は、ガイドレール４２に沿って支持台７側へ移動する。
【００４２】
例えば、第１の歯車４５と第２の歯車４６の回転比は４：１に設定されている。また、回転ハンドル４７を鉛筆状木材１が削られる方向に１回転させると、木材固定台５は、レール４２に沿って支持台７側へ０．５〜０．８ｍｍだけ押し込まれるように設定されている。
【００４３】
このように構成された切削器具４を用いて鉛筆状木材１を削る手順について説明する。まず、鉛筆状木材１の先端部分を削り器３４の木材挿入穴３４２に差し込んだ状態で、鉛筆状木材１の基端部分を固定部材５１の支持部５１２に固定すると、図５に示すように、第２の回転軸７２と鉛筆状木材１は平行な状態になる。この状態で、回転ハンドル４７を回転させて、削り器３４を削り方向に回転させると、その回転が歯車４５、４６を介して第２の回転軸７２に伝達される。その結果、第２の回転軸７２の雄ねじ部分７２ａが雌ねじ部材５２のハーフナット部分５２にねじ込まれ、木材固定台５は、レール４２に沿って支持台７側へ移動する。その結果、鉛筆状木材１の先端部分が削り器３４に押し込まれ、削り器３４によって先端部分が削られていく。
【００４４】
鉛筆状木材１を削り終えた後は、第２の回転軸７２の端部を持ち上げることにより、第２の回転軸７２の雄ねじ部分７２ａとハーフナット部分５２との噛み合いを解除できるので、木材固定台５をレール４２に沿って戻すことができ、次の鉛筆状木材１の切削が可能になる。
【００４５】
なお、上記構成の切削器具４を用いれば、鉛筆状木材１の原料がヒノキであっても外径寸法が３０ｍｍのものまでなら削ることが充分可能である。このため、鉛筆状木材１の外径寸法が８ｍｍ以上のものを削る場合には、削り器３４としてフライスなどといった刃物を取り付ければよい。また、回転ハンドル４７の代わりに減速装置付のモータを取り付けてもよい。
【００４６】
（芳香器）
次に、図６は本発明を適用した芳香器の概略斜視図および断面図である。図６（ａ）および（ｂ）に示すように、本形態の芳香器８は、ボックス状のケース６１と、このケース６１内に収納されたカートリッジ９と、送風機１０とを有している。ケース６１の内部は、ケース６１の上面の開口６１１から装填されたカートリッジ９によって前後に区画されており、一方の区画に送風機１０が配置されている。ケース６１の後面には、空気を吹き込むための空気吹き込み口６１ａが形成されている。これに対して、ケース６１の前面には、送風機８によって送り出された空気をケース６１外に排出するための空気排出口６１ｂが形成されている。送風機１０は、ケース６１の後面に取り付けられており、ファンモータ１０１と、このファンモータ１０１の回転軸前端に同軸状態に取り付けられている回転羽根１０２とを備えている。
【００４７】
カートリッジ９は、通気性素材から形成された幅が狭いボックス状の入れ物であり、その上面９ａには取っ手９１が取り付けられている。このため、カートリッジ９は、図６（ｂ）において想像線で示すように、取っ手９１を持って上方に引き出すことにより、ケース６１から取り外すことが可能である。また、カートリッジ９の上面９ａは開閉可能に構成されている。
【００４８】
このように構成された芳香器８を用いて、鉛筆状木材１（削り屑）の芳香成分を発散させる手順を説明する。まず、ケース６１からカートリッジ９を取り出し、カートリッジ９に鉛筆状木材１（削り屑）を入れる。この時、例えば、鉛筆状木材１を布あるいは不織布から形成された通気性の袋に入れておけば、カートリッジ９への出し入れが簡単である。そして、カートリッジ９をケース６１内に配置し、送風機１０を駆動すれば、芳香成分は、ケース６１の空気排出口６１ｂから前方に向けて吹き出される。
【００４９】
このように芳香器８は、ケース６１の内部をカートリッジ９によって区画されているので、送風機１０から送り出された風は、確実にカートリッジ９内の鉛筆状木材１（削り屑）に当たる。それ故、鉛筆状木材１に含有されている芳香成分を早期に発散させてしまうことができるので、広い空間においても短時間で芳香成分を充満させることができる。
【００５０】
なお、上記実施の形態は、あくまでも本発明の例示にすぎず、目的、用途に応じて種々変更することも可能である。例えば、芳香器８を宿泊施設に設置する場合には、ケース６１を出窓に似せて形成すれば、利用客に気付かれることなく宿泊施設を芳香成分で充満させることも可能である。
【００５１】
また、図７に示すように、カートリッジ９の内部に格子状の区画を形成して、その区画に削り屑を入れれば、カートリッジ９をケース６１に装填した際に、削り屑が自重によりカートリッジ９の下側部分に溜まってしまうのを防ぐことができる。この時、カートリッジ９の前面９２を不織布などの通気性の布から形成し、この通気性の布をファスナーなどにより着脱自在に構成すれば、削り屑の出し入れが簡単になる。
【００５２】
さらに、削り屑の代わりに、空気の清浄効果があると言われている活性炭をカートリッジ９に入れれば、本形態の芳香器６は空気清浄器としても使用することができる。
【００５３】
（芳香セットの別の例）
次に、図８および図９には本発明を適用した芳香セットの別の例を示してある。芳香セット１３は木製の容器１１（芳香部材）と研磨具１２から構成されている。容器１１の縁部分１１ａおよび底部分１１ｂの厚さｔは、研磨具１２によって内周面１１ｃを研磨されることを考慮して、一般の容器よりも肉厚に形成されている。また、容器１１は、ろくろ細工で加工して製造することができ、例えば、ぐい飲み、杯、碗、箸立などである。容器１１の原料としては、鉛筆状木材１と同様、ヒノキチオールと呼ばれる芳香成分を多く含有するヒノキやヒバを用いることが望ましいが、それ以外の材料であってもよい。
【００５４】
研磨具１２は、セラミックス製であり、芳香容器１１の内周面１１ｃを研磨するヤスリ部分１２１と、このヤスリ部分１２１の上面の中央部分から上方に向けて垂直に突出されている円柱状の回転軸１２２とを備えている。
【００５５】
ヤスリ部分１２１は、容器１１の内周面１１ｃに合わせて、下方に向かうにつれて外径寸法が漸減しているテーパ状に形成され、その表面には長石が鏤められている。
【００５６】
このように構成された芳香セット１３では、図９（ｂ）に示すように、研磨具１２のヤスリ部分１２１を容器１１の内周面１１ｃに沿って差し込んだ状態で研磨具１２を１、２回転させるだけで、十分な量の芳香成分を発散させることができる。すなわち、容器１１は、上述の鉛筆状木材１に比べて切削される面積が広いため、新しい木肌を出すだけで十分な量の芳香成分を発散させることができる。
【００５７】
また、容器１１の縁部分１１ａおよび底部分１１ｂは、研磨具１２によって切削されることを考慮して、一般の容器に比べて肉厚に形成されているので、繰り返し研摩することができる。
【００５８】
なお、研磨具１２は、セラミックス製であったが、それ以外の素材、例えば、木製、金属製であってもよい。また、研磨具１２のヤスリ部分１２１の表面に長石を鏤めることによりヤスリ面を形成していたが、その表面部分を、例えば木工用のヤスリ状、サンドペーパー状、研磨砥石状に形成してヤスリ面を形成してもよい。さらに、研磨具１２にサンドペーパー、鮫皮、スチールウールなどを貼り付けることによりヤスリ面を形成してもよい。
【００５９】
【発明の効果】
以上説明したように、本発明の芳香セットは、ヒノキチオールを含有しているヒノキなどの木材からなる芳香部材と、芳香部材を切削あるいは研磨する削り具との組合せからなることを特徴としている。したがって、芳香部材から発散する芳香成分の量が減少した場合には、削り具によって芳香部材を削るという簡単な作業により、新たな木肌を出すことができ、また、削り屑を出すことができるので、芳香部材あるいは削り屑から再び芳香成分を発散させることができる。よって、常に新鮮なヒノキの香りを発生させることができる。
【図面の簡単な説明】
【図１】（ａ）ないし（ｃ）は、それぞれ本発明の実施の形態に係る鉛筆状木材の概略斜視図である。
【図２】（ａ）および（ｂ）は、図１に示す鉛筆状木材を製造する工程で作りだされる板状体片を組み合わせることにより形成した校倉状の箱の概略斜視図、およびその断面図である。
【図３】（ａ）および（ｂ）は、本発明の実施の形態に係る切削器具の概略斜視図、および削り器を示す概略斜視図である。
【図４】図３に示す切削器具の別の実施の形態を示す説明図である。
【図５】本発明の実施の形態に係る切削器具を示す概略斜視図である。
【図６】（ａ）および（ｂ）は、本発明の実施の形態に係る芳香器の概略斜視図、およびその断面図である。
【図７】図６に示す芳香器のカートリッジの別の実施の形態に係る概略断面図である。
【図８】本発明の実施の形態に係る芳香セットの概略斜視図である。
【図９】図８の芳香セットにおいて、研磨具を容器に差し込んだ状態を示す概略斜視図である。
【符号の説明】
１　鉛筆状木材（芳香部材、芳香棒）
２　校倉状の箱
２１　板状体片
３　切削器具
３１　ケース
３４　削り器
４　切削器具
５　木材固定台
５１　固定部材
５２　ハーフナット
５３　スライド部材
６　動力伝達機構
７　支持台
８　芳香器
９　カートリッジ
１０　送風機
１１　木製の容器
１１ａ　容器の縁部分
１１ｂ　容器の底部分
１１ｃ　容器の内周面
１２　研磨具
１３　芳香セット
【図１】
2004065947.tif 000003
【図２】
2004065947.tif 000004
【図３】
2004065947.tif 000005
【図４】
2004065947.tif 000006
【図５】
2004065947.tif 000007
【図６】
2004065947.tif 000008
【図７】
2004065947.tif 000009
【図８】
2004065947.tif 000010
【図９】
2004065947.tif 000011